(57)【要約】【課題】内蓋を低ワットの加熱手段で効率よく加熱することができ、内蓋と蓋との接触部や内蓋外周部のパッキンを高温にすることがない炊飯器を提供することを目的とする。【解決手段】鍋１６を加熱する鍋加熱手段３２を装備した本体１１と、本体１１の上面を覆う蓋１２と、蓋１２の底面に設け鍋１６の開口部を覆う内蓋１７と、内蓋１７を加熱する内蓋加熱手段１８とを備え、内蓋加熱手段１８はリング状とするとともに、リング状の内蓋加熱手段１８と対向する内蓋１７の少なくとも鍋対向面を遠赤外線放射面１７ａとしたものである。これによって、リング状の内蓋加熱手段１８により、内蓋１７の少なくとも鍋対向面の遠赤外線放射面１７ａのみを効率よく加熱して遠赤外線を放射することができ、内蓋１７を低ワットの内蓋加熱手段１８で高温に加熱することができると同時に、内蓋１７と蓋１２との接触部や内蓋の外周部のパッキンを高温にすることもない。【選択図】図１
2009005793.tif 000002
【特許請求の範囲】
【請求項１】
鍋を加熱する鍋加熱手段を装備した本体と、前記本体の上面を覆う蓋と、前記蓋の底面に設け鍋の開口部を覆う内蓋と、前記内蓋を加熱する内蓋加熱手段とを備え、前記内蓋加熱手段はリング状とするとともに、リング状の内蓋加熱手段と対向する内蓋の少なくとも鍋対向面を遠赤外線放射面とした炊飯器。
【請求項２】
内蓋の遠赤外線放射面は多数の突起を有した請求項１に記載の炊飯器。
【請求項３】
内蓋加熱手段は炊飯工程における前炊き工程および蒸らし工程で内蓋を加熱するようにした請求項１または２に記載の炊飯器。
【請求項４】
炊飯工程における前炊き工程においては、鍋加熱手段による鍋加熱を止め、内蓋からの遠赤外線放射により加熱を行う請求項１〜３のいずれか１項に記載の炊飯器。
【請求項５】
過熱蒸気供給手段を備え、炊飯工程における前炊き工程で内蓋からの遠赤外線放射と過熱蒸気供給により加熱を行うようにした請求項１〜４のいずれか１項に記載の炊飯器。
【発明の詳細な説明】
【技術分野】
【０００１】
本発明は遠赤外線放射による加熱を利用した炊飯器に関するものである。
【背景技術】
【０００２】
従来、この種の炊飯器としては、蓋に装備した鍋対向面の放熱板より遠赤外線を放射して、米のアルファー化を促し、ご飯をふっくらと美味しく炊飯したり、保温中のご飯表面にも遠赤外線を放射してご飯が過乾燥することなく、効率よく保温したりするものが知られている（例えば、特許文献１参照）。
【特許文献１】特許第３５１５３１３号公報
【発明の開示】
【発明が解決しようとする課題】
【０００３】
しかしながら、前記従来の構成では、放熱板のほぼ全面を加熱して遠赤外線を放射するものであるため、その加熱手段のワット数を大きくする必要があり、加熱効率が悪いものであった。また、放熱板を高温にすると、放熱板と蓋との接触部や放熱板外周部のパッキンが高温になるため、断熱構造にする必要があった。
【０００４】
本発明は、前記従来の課題を解決するもので、放熱板となる内蓋を低ワットの加熱手段で効率よく高温に加熱することができ、内蓋と蓋との接触部や内蓋の外周部のパッキンを高温にすることがない炊飯器を提供することを目的とする。
【課題を解決するための手段】
【０００５】
前記従来の課題を解決するために、本発明の炊飯器は、鍋を加熱する鍋加熱手段を装備した本体と、前記本体の上面を覆う蓋と、前記蓋の底面に設け鍋の開口部を覆う内蓋と、前記内蓋を加熱する内蓋加熱手段とを備え、前記内蓋加熱手段はリング状とするとともに、リング状の内蓋加熱手段と対向する内蓋の少なくとも鍋対向面を遠赤外線放射面としたものである。
【０００６】
これによって、リング状の内蓋加熱手段により、内蓋の少なくとも鍋対向面の遠赤外線放射面のみを効率よく加熱して遠赤外線を放射することができ、内蓋を低ワットの内蓋加熱手段で効率よく高温に加熱することができると同時に、内蓋と蓋との接触部や内蓋の外周部のパッキンを高温にすることもない。
【発明の効果】
【０００７】
本発明の炊飯器は、放熱板となる内蓋を低ワットの加熱手段で効率よく高温に加熱することができ、内蓋と蓋との接触部や内蓋の外周部のパッキンを高温にすることがない。
【発明を実施するための最良の形態】
【０００８】
第１の発明は、鍋を加熱する鍋加熱手段を装備した本体と、前記本体の上面を覆う蓋と、前記蓋の底面に設け鍋の開口部を覆う内蓋と、前記内蓋を加熱する内蓋加熱手段とを備え、前記内蓋加熱手段はリング状とするとともに、リング状の内蓋加熱手段と対向する内蓋の少なくとも鍋対向面を遠赤外線放射面とした炊飯器とするものである。これによって、リング状の内蓋加熱手段により、内蓋の少なくとも鍋対向面の遠赤外線放射面のみを効率よく加熱して遠赤外線を放射することができ、内蓋を低ワットの内蓋加熱手段で効率よく高温に加熱することができると同時に、内蓋と蓋との接触部や内蓋の外周部のパッキンを高温にすることもない。
【０００９】
第２の発明は、特に、第１の発明において、内蓋の遠赤外線放射面は多数の突起を有したことにより、多方向に遠赤外線が放射され、効率よく遠赤外線による加熱ができる。
【００１０】
第３の発明は、特に、第１または第２の発明において、内蓋加熱手段は炊飯工程における前炊き工程および蒸らし工程で内蓋を加熱するようにしたことにより、前炊き工程および蒸らし工程で遠赤外線放射による加熱が行え、ご飯をふっくらと美味しく炊飯することができる。
【００１１】
第４の発明は、特に、第１〜第３のいずれか１つの発明において、炊飯工程における前炊き工程においては、鍋加熱手段による鍋加熱を止め、内蓋からの遠赤外線放射により加熱を行うことにより、水が効率よく急速に加熱され、それとともに米の温度が上昇して吸水が促進され、ふっくらと美味しいご飯を炊き上げることができる。
【００１２】
第５の発明は、特に、第１〜第４のいずれか１つの発明において、過熱蒸気供給手段を備え、炊飯工程における前炊き工程で内蓋からの遠赤外線放射と過熱蒸気供給により加熱を行うようにしたことにより、より一層、美味しいご飯を炊き上げることができる。
【００１３】
以下、本発明の実施の形態について、図面を参照しながら説明する。なお、この実施の形態によって本発明が限定されるものではない。
【００１４】
（実施の形態）
図は、本発明の実施の形態における炊飯器を示している。
【００１５】
図１に示すように、本実施の形態における炊飯器は、鍋１６を加熱する鍋加熱手段３２を装備した本体１１と、本体１１の上面を覆う開閉自在な蓋１２と、蓋１２の底面に設け鍋１６の開口部を覆う内蓋１７と、内蓋１７を加熱する内蓋加熱手段１８とを備えている。
【００１６】
蓋１２はその先端部のフック１３と本体１１に設けた尾錠１４が係合して、本体１１の上面を開閉自在に覆う。また、鍋１６はステンレススチール、鉄など磁性体によって形成され、本体１１の収納部１５に着脱自在に収納されている。収納部１５は上方の上枠３０と下方のコイルベース３１とから構成されている。鍋加熱手段３２は鍋１６底部の中心の略真下に中心を有する誘導加熱コイルなどの巻線であり、収納部１５のコイルベース３１外側に装備されている。
【００１７】
内蓋１７は蓋１２の底面に固定され、その外周部には鍋１６のフランジ部に密着するパッキン１９が設けられており、水蒸気が鍋１６のフランジ部から漏れない構造となっている。また内蓋１７と蓋１２には蒸気筒２０が開けてあり、炊飯時の蒸気を排気する。蒸気筒２０の下端部にはパッキン２１が設けられて水蒸気が蓋１２内へ侵入しないような構造となっている。
【００１８】
そして、内蓋加熱手段１８は誘導加熱コイルなどからなり、蓋１２の底面にリング状に配置しているとともに、リング状の内蓋加熱手段１８と対向する内蓋１７の少なくとも鍋対向面をリング状の遠赤外線放射面１７ａとしたものである。遠赤外線放射面１７ａは多数の突起１７ｂを有しており、多方向に遠赤外線放射がされるようになっている。なお、遠赤外線放射面１７ａはリング状とすることなく内蓋１７の鍋対向面全体としてもよい。
【００１９】
ここで、遠赤外線放射面１７ａは、遠赤外線放射率の高い色を着色、もしくは遠赤外線放射率の高い材料をコーティングしたり、遠赤外線放射率の高い材料で内蓋１７を形成したりしている。例えば、酸化ニッケルを主成分とし、酸化鉄、酸化コバルトおよび酸化マンガンの少なくとも１種以上を不純物として添加して黒色系とするとともに、これらの遠赤外線放射物質をフッ素樹脂中に含有させて内蓋１７を被服処理することで遠赤外線放射面とする。
【００２０】
また、本実施の形態では、本体１１内に過熱蒸気供給手段３６を備えており、炊飯工程における前炊き工程で内蓋１７からの遠赤外線放射と過熱蒸気供給により加熱を行うようにしている。過熱蒸気供給手段３６は、次の構成要素からなっている。本体１１内の後方部に設けた水容器収納部２３に水容器２２が収納され、水容器収納部２３の外周には水容器加熱手段２４を備えている。水容器２２の上端部はパッキン２６を介して蒸気パイプ２５に繋がり、蒸気パイプ２５の他端は蓋１２底面と内蓋１７で囲まれた蒸気過熱室２７に連絡している。内蓋１７には過熱蒸気噴出口２８が設けられている。
【００２１】
なお、その他の構成として、内蓋１７の温度を検知する温度センサー２９、本体１１の底部に設け鍋１６の底面に当接する温度検知手段３３、制御装置３４、操作基板３５が設けられている。制御装置３４にはマイクロコンピューター（図示しない）が搭載され、ソフトウエアにより鍋加熱手段３２を制御する。
【００２２】
上記構成の炊飯器において、図２の炊飯工程に基づき、その動作を説明する。
【００２３】
蓋１２を開けて、鍋１６内に炊飯する米と所定の水を入れ、操作基板３５の炊飯ボタンを押して炊飯を開始する。鍋加熱手段３２によって鍋１６が加熱され水温が約４０℃に達した時、内蓋加熱手段１８が動作して内蓋１７が加熱され、遠赤外線放射面１７ａから放射される遠赤外線によって鍋１６の水は上面から加熱され温度上昇する。この時、鍋１６の米は十分吸水する（前炊き工程）。水温が約６０℃に達した時、内蓋１７の加熱を止めて、鍋加熱手段３２による鍋１６の加熱力を高めて炊き上げ工程に入る。
【００２４】
炊き上げ工程が終了し、むらし工程に入れば、再び、内蓋加熱手段１８が動作して内蓋１７が加熱される。むらし工程では内蓋１７は１００℃乃至１３０℃の比較的低温に保たれ、ふっくら美味しいご飯を炊き上げる。
【００２５】
前炊き工程において、内蓋１７を加熱する場合、遠赤外線の放射量は表面温度の４乗に比例するので、内蓋１７の遠赤外線放射面１７ａをできるる限り高温にする方が効率はよいが、製品の安全性や内蓋１７と蓋１２との接触部や内蓋１７外周部のパッキンの耐熱特性を考慮して、１００℃から２００℃に加熱するのが望ましい。むらし工程では内蓋１７は１００℃乃至１３０℃の比較的低温に保つのがよく、１３０℃以上にすると、ご飯の表面が乾燥気味になる傾向がある。
【００２６】
また、前炊き工程において、鍋加熱手段３２によって鍋１６を加熱し、かつ同時に内蓋加熱手段１８によって内蓋１７を加熱したが、この場合は鍋底近くの鍋加熱手段３２に対向する部分にある米は鍋１６の加熱の影響を受けやすく、表面が早く糊化して吸水が不十分になる。そこで、前炊き工程においては、鍋加熱手段３２の通電を止めて、内蓋加熱手段１８による内蓋１７の加熱のみで、内鍋１７の遠赤外線放射面１７ａからの遠赤外線放射によって鍋１６の水を加熱すれば、米は穏やかに温度上昇し、約４０℃から６０℃に保たれる間に、部分的に糊化することなしに十分吸水させることができる。
【００２７】
また、前炊き工程において、水容器加熱手段２４によって水容器２２の水を加熱沸騰させ、発生した蒸気を蒸気過熱室２７で過熱蒸気にして鍋１６内へ噴出させながら、内鍋１７の遠赤外線放射面１７ａからの遠赤外線放射によって鍋１６の水を加熱すれば、水温上昇が早まり前炊き工程の時間を短縮することができる。
【００２８】
このように、本実施の形態においては、内蓋加熱手段１８をリング状とするとともに、リング状の内蓋加熱手段１８と対向する内蓋１７の少なくとも鍋対向面を遠赤外線放射面１７ａとしたことにより、リング状の内蓋加熱手段１８により、内蓋１７の少なくとも鍋対向面の遠赤外線放射面１７ａのみを効率よく加熱して遠赤外線を放射することができ、内蓋１７を低ワットの内蓋加熱手段１８で効率よく高温に加熱することができると同時に、内蓋１７と蓋１２との接触部や内蓋の外周部のパッキンを高温にすることもない。
【産業上の利用可能性】
【００２９】
以上のように、本発明にかかる炊飯器は、放熱板となる内蓋を低ワットの加熱手段で効率よく高温に加熱することができ、内蓋と蓋との接触部や内蓋の外周部のパッキンを高温にすることがないので、炊飯器全般に適用することができる。
【図面の簡単な説明】
【００３０】
【図１】本発明の実施の形態における炊飯器の断面図
【図２】同炊飯器の炊飯工程を示す図
【符号の説明】
【００３１】
１１  本体
１２  蓋
１６  鍋
１７  内蓋
１７ａ  遠赤外線放射面
１７ｂ  突起
１８  内蓋加熱手段
３２  鍋加熱手段
３６  過熱蒸気供給手段
【図１】
2009005793.tif 000003
【図２】
2009005793.tif 000004